(57)【特許請求の範囲】
【請求項１】
被調和室の空気が循環する風路を備える共に、この風路中に風上側から風下側に向けて順にエアーフィルタ（１９）、熱交換器（７）を配置した空気調和機において、
前記エアーフィルタ（１９）は多数のハニカム状の通風路（５７）を有するフィルタ素子（５２）を備え、このフィルタ素子（５２）は、帯電させた第１の不織布と、この第１の不織布にさらにグルコン酸クロルヘキシジンを含む薬剤を添着させた第２の不織布とを、重ね合わせて成る不織布を用いて構成したことを特徴とする空気調和機。
【請求項２】
前記フィルタ素子（５２）は、前記通風路（５７）の風下側に、さらに活性炭粒を含む脱臭フィルタ（５２ｃ）を備えたことを特徴とする請求項１に記載の空気調和機。
【発明の詳細な説明】
【０００１】
【発明の属する技術分野】
本発明は調和室内の空気を循環させるように成した空気調和機に関し、特に循環する空気の空気清浄を行うエアーフィルタを備えた空気調和機に関するものである。
【０００２】
【従来の技術】
一般にこの種のエアーフィルタとしては、特開平４-３１０２４９号公報に記載されたような集塵のための静電式集塵ユニットがあった。
【０００３】
従来の静電式集塵ユニットは、帯電性を有する静電フィルタと、互いに極性の異なる電極部材によって静電フィルタに電界を印加するフィルタ帯電器とを設け、両電極部材によって荷電された静電フィルタにより、空気中の塵や埃等の除塵を行っていた。
【０００４】
この公報に記載されたものでは、空気の流れ方向を横切るシート状の静電フィルタが示され、さらに、特開平５-１５４４０７号公報に記載されたものでは空気の流れ方向を横切って蛇行するプリーツ状の静電フィルタが示されていた。
【０００５】
また、静電フィルタにより区画されている谷間と谷間の間に、極性の異なる平板状の電極部材を空気の流れ方向と平行に配設したものもある。
【０００６】
さらに、特開平４-１７６３１０号公報には、空気の流れ方向に平行な通気路を区画するハニカム状の静電フィルタが開示さ、この静電フィルタは、通気路の導入側に配設された一方の電極部材と通気路の排出側に配設された他方の電極部材とによって電界が印加されるものである。
【０００７】
【発明が解決しようとする課題】
このような従来の技術では、塵、埃や花粉などを帯電させてから収集するものであった。この際、同時にインフルエンザウイルス、大腸菌、黄色ブドウ球菌、緑膿菌、枯草菌などの一般的な菌やカビなども集めることができる。
【０００８】
しかし、収集されたインフルエンザウイルスなどの菌はフィルタ上にそのまま存在するか、さらには繁殖する場合があり、このフィルタの処分時や何らかの衝撃で、一度収集された菌が再び被調和室に拡散する恐れがあった。
【０００９】
本願発明は、このような問題点に対して菌の繁殖を抑制できるフィルタを備えた空気調和機を提供するものである。
【００１０】
【課題を解決するための手段】
請求項１に記載の発明では、被調和室の空気が循環する風路を備える共に、この風路中に風上側から風下側に向けて順にエアーフィルタ（１９）、熱交換器（７）を配置した空気調和機において、前記エアーフィルタ（１９）は多数のハニカム状の通風路（５７）を有するフィルタ素子（５２）を備え、このフィルタ素子（５２）は、帯電させた第１の不織布と、この第１の不織布にさらにグルコン酸クロルヘキシジンを含む薬剤を添着させた第２の不織布とを、重ね合わせて成る不織布を用いて構成したことを特徴とする。
【００１１】
請求項２に記載の発明では、請求項１に記載の空気調和機において、前記フィルタは、前記通風路の風下側に、さらに活性炭粒を含む脱臭フィルタを備えたことを特徴とする。
【００１２】
【００１３】
【００１４】
【発明の実施の形態】
以下本願発明の実施例を図面に基づいて説明する。図１は、一般的な家庭用の分離型の空気調和機を示す斜視図である。この種の空気調和機は、室内に配置される壁掛型の利用側ユニットＡと、室外に配置される熱源側ユニットＢとからなり、両者は冷媒管３００及び信号線によってつながれ、図２に示す冷凍サイクルが構成されている。
【００１５】
図２に示す冷凍サイクルにおいて、１は回転数可変型のいわゆるインバータ圧縮機（能力可変型の圧縮機）である。回転数を制御する方法としては、圧縮機の駆動源に誘導電動機を用いた場合はこの電動機に印加する交流電力の周波数を可変させて誘導電動機の同期回転数を変えて行い、圧縮機の駆動源に直流電動機を用いた場合はこの電動機に印加する直流電力の平均電圧（又は通電電流）を変えて行うなどが一般的なものである。
【００１６】
２はこのインバータ圧縮機（以下、単に「圧縮機」という。）１から吐出される冷媒の脈動による振動・騒音を抑えるためのマフラーである。
【００１７】
３は冷房／暖房運転時の冷媒の流れを切り替えるための四方切換弁、４は熱源側熱交換器、５はキャピラリチューブ、６はスクリーンフィルタ、７は利用側熱交換器、８はマフラー、９はアキュームレータ、１０は電磁開閉弁である。
【００１８】
圧縮機１から吐出される冷媒は、四方切換弁３の切り替わり位置と電磁開閉弁１０の開閉とに応じて実線の矢印（冷房運転）、点線の矢印（暖房運転）、実線中点の矢印（除霜運転）の３つのモードに従い、流れる方向が決まる。
【００１９】
冷房運転時には、図２に実線矢印で示すように、圧縮機１から吐出された冷媒は、マフラー２、四方切換弁３、熱源側熱交換器（室外熱交換器）４、減圧器としてのキャピラリチューブ５、スクリーンフィルタ６、利用側熱交換器（室内熱交換器）７、マフラー８、四方切換弁３、アキュームレータ９の順序で冷媒回路を循環し、利用側熱交換器７が蒸発器として作用し被調和室の冷房運転が行われる。
【００２０】
暖房運転時には、破線の矢印で示すように、圧縮機１から吐出された冷媒は、マフラー２、四方切換弁３、マフラー８、利用側熱交換器（室内熱交換器）７、スクリーンフィルタ６、キャピラリチューブ５、熱源側熱交換器（室外熱交換器）４、四方切換弁３、アキュームレータ９の順序で冷媒回路を循環し、利用側熱交換器４が凝縮器として作用し被調和室の暖房運転が行われる。
【００２１】
このような暖房運転中に、電磁開閉弁１０が開くと、圧縮機１から吐出される高温の冷媒の一部が、熱源側熱交換器４へ導かれ蒸発器として作用している熱源側熱交換器の温度を上昇させる。
【００２２】
これにより、熱源側熱交換器４は着霜しにくくなり、また熱源側熱交換器４の温度が充分に高くなるときはこの熱源側熱交換器４に着霜した霜を溶かすことができる。尚、このような運転にも拘わらず熱源側熱交換器４の着霜が進行する時（外気温が特に低い時など）には逆サイクル除霜（実線矢印の冷房運転の流れ）で強制的に除霜が行われる。
【００２３】
図３は利用側ユニットＡの断面図である。この図において、１００は本体フレームを示す。この本体フレーム１００には、クロスフローファン１７と利用側熱交換器７とドレンパン２７と、更には、空気清浄器１９と縦羽根３１と横羽根３５とが収容されている。
【００２４】
本体フレーム１００の前面には、キャビネット１０１とフィルタ１０３と前面パネル１０５とが取付けられている。
【００２５】
本体フレーム１００の上面、キャビネット１０１の正面及び上面、並びに前面パネル１０５には、吸込口４１が形成され、キャビネット１０１の正面斜め下側には吹出口４３が形成されている。
【００２６】
この吹出口４３は、本体フレーム１００の内部の吹出通路４９につながり、この吹出通路４９は、送風機１７からの空気を吹出口４３に案内している。
【００２７】
この吹出通路４９は、吹出し枠１０９と、本体フレーム底板１５とにより囲まれている。この実施の形態によれば、上記吹出し枠１０９は、上面にドレンパン２７を支持し、下面に縦羽根３１、横羽根３５からなる風向変更羽根を支持している。
【００２８】
尚、１１５はキャビネット１０１を本体フレーム１００の溝１１７に係止させる突起である。
【００２９】
このように構成された空気調和機は、クロスフローファン１７が回転することによって、前面パネル１０５の吸込口４１から吸い込まれた被調和室の空気は空気清浄器１９、利用側熱交換器１７吹出通路４９を経て、縦羽根３１、横羽根３５で調和空気の吐出方向が調節されて被調和室に戻される。
【００３０】
図４は空気清浄器（エアーフィルタ）１９の分解斜視図である。この図において、空気清浄器１９は把手５０が形成された主枠５１を備え、この主枠５１内には、集塵・脱臭フィルタ素子５２、絶縁カバー５３、金網電極５４、補助枠５５が重ねて収納されており、集塵・脱臭フィルタ素子５２を挟持している。
【００３１】
主枠５１には、その一部に負極用の接点５６が設けられており、アースされている。
【００３２】
集塵・脱臭フィルタ素子５２は、図示されるように多数のハニカム孔５７（通風路）が形成されるように波板に成形された波板状部材５２ａと平板状部材５２ｂを交互に重ねたものである。
【００３３】
波板状部材５２ａと平板状部材５２ｂは、帯電化されたポロプロピレン繊維をヒートエンボス加工して得られる平板状の第１の不織布と、この不織布にさらにグルコン酸クロルヘキシジンを含む薬剤（例えば大和化学工業製アモルデンＴＯＳ-３など）を添着させた第２の不織布とを張り合わせた不織布で成形されている。尚、第１、第２の不織布の張り合わせには糊付け、圧着、溶着等を用いることができる。
【００３４】
ハニカム状のフィルタ素子５２において、主枠５１側には、粒状の活性炭を樹脂製ネットに固着して得られるネット状脱臭フィルタ５２ｃが設けられている。
【００３５】
この脱臭フィルタ５２ｃは網状化ウレタンに活性炭素粒を固着させたものでも良く、さらには活性アルミナ系の脱臭剤等を同時に固着しても良い。
【００３６】
このように、活性炭５２ｃをフィルタ素子５２に直接固着させる構成であるから、集塵・脱臭フィルタ素子２９は、集塵及び脱臭機能を有しながら、厚みが薄く、軽量になるので、取付部材となるウレタン等を必要とせず、エアーフィルタ１９の小型化を図ることができる。
【００３７】
尚、フィルタ素子５２に電圧を印加する場合、本実施例では活性炭５２ｃを負極として利用し負極用の電極を省略している。
【００３８】
絶縁カバー５３は、帯電された集塵・脱臭フィルタ素子５２を金網電極５４の接続部５８から絶縁するように、集塵・脱臭フィルタ素子５２を覆っている。特に、この絶縁カバー５３は、フィルタ素子５２が湿気を多く含んだ場合に金網電極と帯電フィルタとの絶縁低下を防止するのに有効である。
【００３９】
金網電極５４には正の電極が付与されるが、金網自体は絶縁被覆されており、その一部である接続部５８のみが被覆されていないで、補助枠５５の接点５９に電気的に接触するようになっており、補助枠５５の接点は電極に接続されて正の電圧が印加される。
【００４０】
尚、本実施例では集塵・脱臭フィルタ素子５２に電極５６、５９を用いて帯電電荷を増加させているが、集塵・脱臭フィルタ素子５２自体が帯電した不織布で構成されてそれ自体が電荷を有しているので、これら電極５６、５９及び金網電極５４を用いなくても充分な集塵効果が得られる。但し帯電電荷少ない分集塵・脱臭フィルタ素子５２の集塵寿命が短くなり、交換期間が早くなる。
【００４１】
このように構成された空気清浄器１９を有する空気調和機は、被調和室の空気を利用側熱交換器７で空気調和させた後、その調和空気を被調和室に戻す循環を、クロスフローファン１７を運転して行う。この際に、被調和室の空気が空気清浄器１９を通過することにより、帯電された第１の不織布側で、主に空気中の塵、埃、花粉等を取り除き、第２の不織布側で、カビ、インフルエンザウイルス、大腸菌、黄色ブドウ球菌、緑膿菌及び枯草菌などを含む菌を取り除き、同時にグルコン酸クロルヘキシジンがウイルス等の菌の細胞膜を破って内部に浸透し、内部の核酸、蛋白質そのものを分解してウイルス等の菌を不活性化するものである。
【００４２】
さらに脱臭フィルタ５２ｃによって脱臭作用が得られるものである。
【００４３】
【発明の効果】
以上のように本発明の空気調和機では、熱交換器の風上側に配置されたエアーフィルタは、多数のハニカム状の通風路を有するフィルタ素子を有し、このフィルタ素子は、帯電させた第１の不織布と、この第１の不織布にさらにグルコン酸クロルヘキシジンを含む薬剤を添着させた第２の不織布とを、重ね合わせて成る不織布を用いて構成したものであるから、フィルタ素子は、第１のフィルタで集塵効果を有しながら、大型化することなく、第２の不織布に添着させたグルコン酸クロルヘキシジンを含む薬剤がインフルエンザウイルスを含む菌を不活性化させることにより除菌が行えるものである。
【図面の簡単な説明】
【図１】  分離型の空気調和機を示す斜視図である。
【図２】  図１に示した分離型の空気調和機に用いる冷媒回路図である。
【図３】  利用側ユニットＡの要部断面図である。
【図４】  図３に示した空気清浄器の分解斜視図である。
【符号の説明】
７    利用側熱交換器（熱交換器）
１９    空気清浄器（エアーフィルタ）
５２    集塵・脱臭フィルタ素子（フィルタ素子）
５２ａ  波状部材
５２ｂ  板状部材
５２ｃ  脱臭フィルタ
５７    ハニカム孔（ハニカム状の通風路）
【図１】
0003813267.tif 000002
【図２】
0003813267.tif 000003
【図３】
0003813267.tif 000004
【図４】
0003813267.tif 000005